(57)【特許請求の範囲】
【請求項１】
発光素子と、
指針を運針させるための指針軸が挿入される貫通孔が設けられ、前記発光素子の光を内部に採り込んで面方向に導きながら前記指針側の一面から放射する導光板と、
前記導光板の前記貫通孔の内周面の前記発光素子側に設けられ、前記導光板で導かれて前記貫通孔に到達した光を拡散する光拡散部と、
前記導光板の前記貫通孔の内周面に前記光拡散部に対向して設けられ、前記光拡散部により拡散された光が入射する非拡散部と、
を備えていることを特徴とする照明装置。
【請求項２】
請求項１に記載の照明装置において、前記光拡散部は、前記導光板の前記貫通孔の内周面における前記発光素子側に位置する予め定められた領域に設けられていることを特徴とする照明装置。
【請求項３】
請求項１または請求項２に記載の照明装置において、前記導光板の前記貫通孔の周縁部には、前記光が放射される一面から突出する筒状部が、前記貫通孔と同一軸上に設けられていることを特徴とする照明装置。
【請求項４】
請求項３に記載の照明装置において、前記光拡散部は、前記導光板の前記貫通孔の内周面と前記筒状部の内周面とに設けられていることを特徴とする照明装置。
【請求項５】
請求項１〜請求項４のいずれかに記載されている照明装置と、当該照明装置の前記導光板における前記光が放射される一面側に配置された表示パネルと、前記導光板の前記貫通孔内に前記指針軸が挿入され、当該指針軸に取り付けられた前記指針を前記表示パネルの上方で運針させる時計ムーブメントと、を備えていることを特徴とする時計。
【発明の詳細な説明】
【技術分野】
【０００１】
この発明は、時計、またはメータなどの計測機器に用いられる照明装置およびそれを備えた時計に関する。
【背景技術】
【０００２】
例えば、腕時計の照明装置においては、特許文献１に記載されているように、発光素子で発光した光を導光板に採り込み、この採り込んだ光を導光板で面方向に導きながら上面から放射させることにより、導光板の上面側を照明するように構成されたものが知られている。
【先行技術文献】
【特許文献】
【０００３】
【特許文献１】特開２０１３−２９３３６号公報
【０００４】
このような腕時計の照明装置は、導光板に指針を運針するための指針軸が挿入される貫通孔が設けられ、この貫通孔の内周面に面取り部を設け、導光板で導かれて貫通孔の内周面に到達した光を貫通孔の面取り部で導光板内に向けて反射することにより、導光板で導かれた光が貫通孔内に漏れないように構成されている。
【発明の概要】
【発明が解決しようとする課題】
【０００５】
しかしながら、このような腕時計の照明装置では、導光板で導かれた光を貫通孔の面取り部で反射する構成であるから、面取り部の面取り面に対する光の入射角度が反射角度以内であれば、光を反射するが、面取り部の面取り面に対する光の入射角度が反射角度以外であると、光が面取り面を透過して貫通孔内に漏れてしまうという問題がある。
【０００６】
このような問題を解消するために、貫通孔に鍔部を有する筒ねじを設け、この筒ねじの外周面および鍔部によって貫通孔の面取り部から漏れた光を再び導光板内に向けて反射するように構成されたものが開発されている。しかし、このような筒ねじは、その上部に鍔部を設ける必要があるばかりか、ハウジングに取り付けなければならないため、その構造が複雑で、取付作業も面倒で、生産コストが高くなるなどの問題がある。
【０００７】
この発明が解決しようとする課題は、簡単な構造で、貫通孔内への漏れ光を軽減して効率良く照明することができる照明装置およびそれを備えた時計を提供することである。
【課題を解決するための手段】
【０００８】
この発明は、発光素子と、指針を運針させるための指針軸が挿入される貫通孔が設けられ、前記発光素子の光を内部に採り込んで面方向に導きながら前記指針側の一面から放射する導光板と、この導光板の前記貫通孔の内周面の前記発光素子側に設けられ、前記導光板で導かれて前記貫通孔に到達した光を拡散する光拡散部と、前記導光板の前記貫通孔の内周面に前記光拡散部に対向して設けられ、前記光拡散部により拡散された光が入射する非拡散部と、を備えていることを特徴とする照明装置である。
【発明の効果】
【０００９】
この発明によれば、発光素子の光が導光板で導かれて貫通孔に到達すると、その到達した光を貫通孔の内周面に設けられた光拡散部で拡散することができるので、貫通孔内に光が漏れるのを軽減することができると共に、拡散された光を発光素子に対する貫通孔の反対側に導くことができる。このため、貫通孔の内周面に光拡散部を設けるだけの簡単な構造で、貫通孔内への漏れ光を軽減して導光板のほぼ全域に発光素子の光を良好に導くことができるので、導光板の一面側を効率良く照明することができる。
【図面の簡単な説明】
【００１０】
【図１】この発明を腕時計に適用した第１実施形態を示した拡大正面図である。
【図２】図１に示された腕時計のＡ−Ａ矢視における拡大断面図である。
【図３】図２に示された腕時計の時計モジュールを示した拡大正面図である。
【図４】図２に示された時計モジュールの照明装置を示した拡大斜視図である。
【図５】図４に示された照明装置の導光板の要部を示し、（ａ）はその要部を示した拡大平面図、（ｂ）は（ａ）のＢ−Ｂ矢視における要部の拡大断面図である。
【図６】この発明を腕時計に適用した第２実施形態における拡大断面図である。
【図７】図６に示された腕時計の照明装置を示した拡大斜視図である。
【図８】図７に示された照明装置の導光板の要部を示し、（ａ）はその要部を示した拡大平面図、（ｂ）は（ａ）のＣ−Ｃ矢視における要部の拡大断面図である。
【発明を実施するための形態】
【００１１】
（第１実施形態）
以下、図１〜図５を参照して、この発明を腕時計に適用した第１実施形態について説明する。
この腕時計は、図１および図２に示すように、腕時計ケース１を備えている。この腕時計ケース１は、本体ケース２と外装ケース３とで構成されている。
【００１２】
本体ケース２は、図１および図２に示すように、硬質の合成樹脂で形成され、その内部に金属製の補強部材２ａが埋め込まれた構成になっている。外装ケース３は、軟質の合成樹脂で形成され、本体ケース２の外周面に装着された状態で、ビス３ａによって本体ケース２に取り付けられるように構成されている。
【００１３】
この腕時計ケース１の上部開口部、つまり本体ケース２の上部開口部には、図１および図２に示すように、時計ガラス４がパッキン４ａを介して取り付けられている。また、この腕時計ケース１の下部、つまり本体ケース２の下部には、裏蓋５が防水リング５ａを介して取り付けられている。さらに、この腕時計ケース１の側部には、図１に示すように、複数のスイッチ部６が設けられている。
【００１４】
また、この腕時計ケース１の内部、つまり本体ケース２の内部には、図１および図２に示すように、時計モジュール７が設けられている。この時計モジュール７は、上部ハウジング８と下部ハウジング９とを備えている。上部ハウジング８と下部ハウジング９との間には、回路基板１０が配置されている。
【００１５】
また、上部ハウジング８の上面には、図２に示すように、文字板１１が配置されている。この文字板１１は、透明または半透明の合成樹脂で形成され、そのほぼ中心部に貫通孔１１ａが設けられている。また、この文字板１１の上面における周縁部には、図１に示すように、時字１１ｂが等間隔で設けられている。この文字板１１と時計ガラス４との間には、図２に示すように、リング状の見切り部材１２が配置されている。さらに、下部ハウジング９と裏蓋５との間には、押え板１３が配置されている。
【００１６】
また、上部ハウジング８の内部には、図２に示すように、液晶表示パネル１４が文字板１１の下面に対応して配置されている。この液晶表示パネル１４の下側には、照明装置１５が配置されている。さらに、下部ハウジング９の内部には、時計ムーブメント１６が設けられている。この時計ムーブメント１６は、時針および分針などの指針１７が取り付けられた指針軸１８を回転させることにより、指針１７を文字板１１の上方で運針させて時刻を指示させるように構成されている。
【００１７】
ところで、液晶表示パネル１４は、図２に示すように、平面型の表示装置である。すなわち、この液晶表示パネル１４は、上下一対の透明基板１４ａ、１４ｂの各対向面に一対の透明な電極（図示せず）を設け、これら一対の透明基板１４ａ、１４ｂ間に液晶（図示せず）を封入し、上側の透明基板１４ａの上面に上側偏光板１４ｃを設け、下側の透明基板１４ｂの下面に下側偏光板１４ｄを設けた構成になっている。
【００１８】
この液晶表示パネル１４は、一対の透明な電極に選択的に電圧を印加することにより、時刻などの情報を電気光学的に表示するように構成されている。この液晶表示パネル１４は、図１および図３に示すように、文字板１１のほぼ全域に対応するほぼ四角形状に形成され、表示された情報が時計ガラス４および文字板１１を通して腕時計ケース１の上方から見えるように構成されている。
【００１９】
この場合、液晶表示パネル１４の中心部には、図２に示すように、指針軸１８が挿入される貫通孔２０が、文字板１１の貫通孔１１ａに対応した状態で、上下に貫通して設けられている。さらに、この液晶表示パネル１４は、インターコネクタ（図示せず）によって回路基板１０と電気的に接続されている。
【００２０】
この液晶表示パネル１４は、図１および図３に示すように、貫通孔２０を境にして、１２時側のほぼ半分の領域と、６時側のほぼ半分の領域と、３時側の領域とが、それぞれ表示領域２１ａ、２１ｂ、２１ｃに形成されている。すなわち、この液晶表示パネル１４は、各表示領域２１ａ、２１ｂ、２１ｃに対応する個所のみに透明な電極（図示せず）が設けられていることにより、これら表示領域２１ａ、２１ｂ、２１ｃのみが時刻などの情報を表示するように構成されている。
【００２１】
一方、照明装置１５は、図２および図４に示すように、発光ダイオードなどの発光素子２２と、この発光素子２２の光を内部に採り込んで面方向に導きながら上面から放射する導光板２３と、この導光板２３の下面に設けられた反射板２４と、を備えている。発光素子２２は、導光板２３の一側部、例えば９時側に位置する側面に対応した状態で、回路基板１０上に電気的に接続されて設けられている。これにより、発光素子２２は、発光した光を導光板２３の側面に向けて照射させるように構成されている。
【００２２】
導光板２３は、図２および図３に示すように、ポリカーボネート（ＰＣ）などの透明な合成樹脂によってほぼ平板状に形成されている。この導光板２３は、液晶表示パネル１４の外形とほぼ同じ形状で、かつ同じほぼ大きさに形成され、液晶表示パネル１４に対応した状態で、液晶表示パネル１４の下側に配置されている。
【００２３】
この場合、導光板２３の下面には、発光素子２２の光を導光板２３の上面からほぼ均一に放射するためのドットパターン（図示せず）が設けられている。このドットパターンは、発光素子２２側のドット密度が粗く、発光素子２２から離れるに従って次第にドット密度が密になるように構成されている。
【００２４】
これにより、導光板２３は、図２および図４に示すように、発光素子２２の光を一側面から内部に採り込み、この採り込んだ光を発光素子２２と反対側の側部に向けて面方向に導く際に、ドットパターンによってほぼ均一な光量になるように導きながら、導光板２３の上面からほぼ均一な輝度で放射することにより、液晶表示パネル１４の下面側をほぼ均一な照度で照明するように構成されている。
【００２５】
この場合、導光板２３の下面に設けられた反射板２４は、白色のシートであり、発光素子２２の光を導光板２３が採り込んで面方向に導く際に、その光が導光板２３の下面から漏れても、その漏れた光を再び導光板２３内に向けて反射することにより、発光素子２２からの光を反射板２４の下側に漏らしてロスしないように構成されている。
【００２６】
また、導光板２３のほぼ中心部には、図２および図４に示すように、指針軸１８が挿入される貫通孔２５が、液晶表示パネル１４の貫通孔２０に同一軸上で対応した状態で、上下に貫通して設けられている。この場合、反射板２４および回路基板１０にも、貫通孔２７が導光板２３の貫通孔２５に同一軸上で対応して設けられている。
【００２７】
この導光板２３の貫通孔２５における内周面には、図４および図５に示すように、光拡散部である光拡散層２６が設けられている。この光拡散層２６は、貫通孔２５の内周面にマット加工によって設けられた微細な凹凸である。この光拡散層２６は、発光素子２２の光が導光板２３で導かれて貫通孔２５の内周面に到達した際に、その到達した光を貫通孔２５内に漏らさずに導光板２３内に向けて拡散するように構成されている。
【００２８】
この場合、光拡散層２６は、図４および図５に示すように、貫通孔２５の内周面における発光素子２２側に位置する予め定められた領域に設けられている。すなわち、この光拡散層２６は、発光素子２２と貫通孔２５の中心とを結ぶ直線に対し、貫通孔２５の中心で直交する直線を境にして、発光素子２２側に位置する貫通孔２５の内周面におけるほぼ半分の領域に設けられている。
【００２９】
これにより、光拡散層２６は、図４および図５に示すように、導光板２３で導かれて貫通孔２５の内周面に到達した発光素子２２の光を貫通孔２５内に漏らすことなく、導光板２３内に向けて拡散することにより、この拡散された光を貫通孔２５における発光素子２２と反対側に回り込ませるように構成されている。
【００３０】
次に、このような腕時計の照明装置１５の作用について説明する。
この照明装置１５は、発光素子２２が発光すると、その発光した光を導光板２３がその内部に採り込んで面方向に導きながら、導光板２３の上面から放射することにより、液晶表示パネル１４の下面を照明する。すなわち、発光素子２２が発光すると、その発光した光が導光板２３の側面から導光板２３内に採り込まれる。
【００３１】
そして、導光板２３に採り込まれた光は、導光板２３内をその面方向に沿って導かれながら、導光板２３の上面から上方に放射される。このときには、導光板２３の下面に設けられたドットパターン（図示せず）によって発光素子２２の光が導光板２３の面方向に沿ってほぼ均一な光量になるように効率良く導かれる。このため、導光板２３で導かれた光は、導光板２３の上面からほぼ均一な輝度で放射される。これにより、液晶表示パネル１４の下面全体がほぼ均一な照度で明るく照明される。
【００３２】
この場合、導光板２３内を面方向に沿って導かれている光は、その一部の光が導光板２３の下面のドットパターンから下側に漏れても、その漏れた光が反射板２４によって導光板２３内に向けて反射される。このため、導光板２３内に採り込まれた光は、導光板２３の下面側に漏れても、ロスすることがなく、効率良く導光板２３の面方向に導かれながら、導光板２３の上面から放射される。
【００３３】
また、この導光板２３で面方向に導かれて貫通孔２５の内周面に到達した光は、貫通孔２５の内周面に設けられた光拡散層２６によって、貫通孔２５内にほとんど漏れることがなく、拡散される。すなわち、光拡散層２６は、貫通孔２５の内周面に設けられた微細な凹凸であることにより、発光素子２２の光が導光板２３で導かれて貫通孔２５の内周面に到達した際に、その光を貫通孔２５内にほとんど漏らすことなく、導光板２３の内部に向けて拡散する。
【００３４】
この拡散された光は、その一部が貫通孔２５における発光素子２２と反対側に回り込み、貫通孔２５を境にして発光素子２２と反対側に位置する導光板２３に導かれる。このため、発光素子２２の光が導光板２３で導かれて貫通孔２５の内周面に到達しても、貫通孔２５内にほとんど漏れることがないので、発光素子２２の光が効率良く導光板２３のほぼ全域に導かれて、液晶表示パネル１４の下面のほぼ全域に照射される。
【００３５】
次に、このような照明装置１５を備えた腕時計の作用について説明する。
この腕時計は、通常、時計ムーブメント１６によって指針軸１８が駆動されて、指針１７が文字板１１の上方で運針することにより、現在時刻が指示される。また、このときには、液晶表示パネル１４の一対の透明基板１４ａ、１４ｂの各対向面に設けられた一対の透明な電極（図示せず）に選択的に電圧が印加されることにより、現在時刻などの情報が電気光学的に表示される。
【００３６】
また、この状態で、照明装置１５の発光素子２２を発光させると、液晶表示パネル１４、文字板１１、および指針１７が照明される。このときには、発光素子２２で発光した光が、導光板２３内に採り込まれ、この採り込まれた光が導光板２３で面方向にほぼ均一な光量になるように導かれながら、導光板２３の上面からほぼ均一な輝度で放射され、この放射された光によって液晶表示パネル１４の下面側が照明される。
【００３７】
これにより、液晶表示パネル１４の各表示領域２１ａ〜２１ｃに表示された現在時刻などの情報が暗い所でも鮮明に見える。また、このときには、導光板２３の上面から放射されて液晶表示パネル１４の下面に照射された光は、液晶表示パネル１４および透明な文字板１１を透過して、その上方に放射される。この文字板１１の上方に放射された光によって、指針１７が照明されるので、暗い所でも指針１７によって指示された現在時刻を知ることができる。
【００３８】
このように、この腕時計の照明装置１５によれば、発光素子２２と、指針１７を運針させるための指針軸１８が挿入される貫通孔２５が設けられ、発光素子２２の光を内部に採り込んで面方向に導きながら指針１７側の一面である上面から放射する導光板２３と、この導光板２３の貫通孔２５の内周面に設けられ、導光板２３で導かれて貫通孔２５に到達した光を拡散する光拡散層２６と、を備えていることにより、簡単な構造で、貫通孔２５内への漏れ光を軽減して、導光板２３の上面側を効率良く照明することができる。
【００３９】
すなわち、この腕時計の照明装置１５では、発光素子２２の光が導光板２３で導かれて貫通孔２５に到達した際に、その到達した光を貫通孔２５の内周面に設けられた光拡散層２６で拡散することができるので、貫通孔２５内に光が漏れるのを軽減することができると共に、拡散された光を発光素子２２に対する貫通孔２５の反対側に導くことができる。
【００４０】
このため、この照明装置１５では、貫通孔２５の内周面に光拡散層２６を設けるだけの簡単な構造で、貫通孔２５内への漏れ光を軽減して導光板２３のほぼ全域に光を導くことができるので、導光板２３の上面側を効率良く照明することができる。これにより、発光素子２２を導光板２３の一側部に対応させて１つだけ配置するだけで良いので、構造が極めて簡単で、部品点数も少なく、低コスト化を図ることができるほか、消費電力を最小限に抑えることができるので、ランニングコストも抑えることができる。
【００４１】
このように、発光素子２２を導光板２３の一側部に１つだけ配置しただけでも、発光素子２２の光を導光板２３で効率良く面方向に導いて導光板２３の上面から良好に放射することができる。すなわち、導光板２３は、その下面にドットパターン（図示せず）が設けられていることにより、このドットパターンによって発光素子２２の光を導光板２３の面方向に沿ってほぼ均一な光量になるように効率良く導くことができる。
【００４２】
このため、導光板２３は、その面方向に導いた光を導光板２３の上面からほぼ均一な輝度で放射することができるので、導光板２３の上面側全体をほぼ均一な照度で明るく照明することができる。この場合、導光板２３の下面に反射板２４が設けられていることにより、導光板２３内を面方向に導かれる光が、導光板２３の下面のドットパターンから下側に漏れても、その漏れた光を反射板２４で導光板２３内に向けて反射することができるので、光のロスが少なく、効率良く光を導光板２３で導くことができる。
【００４３】
また、この照明装置１５では、光拡散層２６が貫通孔２５の内周面に設けられた微細な凹凸であることにより、発光素子２２の光が導光板２３で導かれて貫通孔２５の内周面に到達した際に、その光を貫通孔２５内にほとんど漏らすことなく、導光板２３の内部に向けて良好に拡散することができる。
【００４４】
この場合、光拡散層２６は、貫通孔２５の内周面における発光素子２２側に位置する予め定められた領域に設けられていることにより、発光素子２２の光が貫通孔２５の内周面に到達して拡散されると、その拡散された光の一部を貫通孔２５における発光素子２２と反対側に回り込ませることができ、これにより貫通孔２５を境にして発光素子２２と反対側に位置する導光板２３に良好に導くことができるので、光を導光板２３のほぼ全域に導いて導光板２３の上面から効率良く放射することができる。
【００４５】
また、この腕時計では、照明装置１５と、この照明装置１５の導光板２３の上面側に配置された液晶表示パネル１４と、導光板２３の貫通孔２５内に回転可能に挿入された指針軸１８に取り付けられた指針１７を液晶表示パネル１４の上方で運針させる時計ムーブメント１６と、を備えていることにより、この時計ムーブメント１６によって指針軸１８が駆動されると、指針１７が文字板１１の上方を運針して現在時刻を指示することができ、また液晶表示パネル１４が選択的に駆動されると、現在時刻などの情報を電気光学的に表示することができる。
【００４６】
この場合、この腕時計では、照明装置１５の発光素子２２を発光させると、この照明装置１５によって液晶表示パネル１４および指針１７を良好に照明することができる。すなわち、発光素子２２で発光した光が導光板２３内に採り込まれ、この採り込まれた光が導光板２３で面方向にほぼ均一な光量になるように導かれながら、導光板２３の上面からほぼ均一な輝度で放射されるので、この放射された光によって液晶表示パネル１４の下面側を明るく照明することができ、これにより暗い所でも液晶表示パネル１４に表示された現在時刻などの情報を鮮明に見ることができる。
【００４７】
また、この腕時計では、照明装置１５の発光素子２２で発光した光が導光板２３の上面から放射されて液晶表示パネル１４の下面に照射された際に、その照射された光が液晶表示パネル１４および透明な文字板１１を透過して、その上方に放射されるので、文字板１１の上方に放射された光によって、文字板１１および指針１７を明るく照明することができ、これにより暗い所でも指針１７によって指示された現在時刻を良好に知ることができる。
【００４８】
（第２実施形態）
次に、図６〜図８を参照して、この発明を腕時計に適用した第２実施形態について説明する。なお、図１〜図５に示された第１実施形態と同一部分には同一符号を付して説明する。
この腕時計は、図６および図７に示すように、照明装置３０が第１実施形態と異なる構成であり、これ以外は第１実施形態と同じ構成になっている。
【００４９】
この照明装置３０は、図６および図７に示すように、導光板２３の貫通孔２５の周縁部に、導光板２３の上面側に向けて突出する筒状部３１を、貫通孔２５と同一軸上に設け、この筒状部３１の内周面と貫通孔２５の内周面とに光拡散部である光拡散層３２を設けた構成であり、これ以外は第１実施形態と同じ構成になっている。この場合にも、導光板２３は、第１実施形態と同様、ポリカーボネート（ＰＣ）などの透明な合成樹脂によって平板状に形成されている。
【００５０】
すなわち、この導光板２３は、第１実施形態と同様、発光素子２２の光を一側面から内部に採り込み、この採り込んだ光を発光素子２２と反対側の側部に向けて導く際に、ドットパターンによってほぼ均一な光量になるように導きながら、導光板２３の上面からほぼ均一な輝度で放射することにより、液晶表示パネル１４の下面側をほぼ均一な照度で照明するように構成されている。この導光板２３の下面にも、反射板２４が設けられている。
【００５１】
この導光板２３の貫通孔２５における周縁部に設けられた筒状部３１は、図６〜図８に示すように、その内径が貫通孔２５の内径と同じ大きさで、その高さが液晶表示パネル１４の厚みとほぼ同じで、導光板２３の貫通孔２５の周縁部に一体に形成されている。この場合、液晶表示パネル１４の貫通孔２０は、その内径が筒状部３１の外径とほぼ同じか、それよりも少し大きく形成されている。
【００５２】
これにより、筒状部３１は、図６に示すように、導光板２３上に液晶表示パネル１４が配置された際に、その液晶表示パネル１４の貫通孔２０内に下側から挿入し、この挿入した筒状部３１内に指針軸１８が挿入することにより、この指針軸１８が液晶表示パネル１４の貫通孔２０に接触しないように構成されている。
【００５３】
また、この筒状部３１は、図６に示すように、液晶表示パネル１４の貫通孔２０内に下側から挿入した際に、筒状部３１の上端部が液晶表示パネル１４の上面とほぼ同じ平面上に位置した状態で、文字板１１の下側に配置されるように構成されている。また、この筒状部３１は、発光素子２２の光が導光板２３内に採り込まれて貫通孔２５の内周面に到達した際に、その到達した光を筒状部３１の壁部内に導いて、その筒状部３１の外周面および上端面から放射するように構成されている。
【００５４】
ところで、光拡散層３２は、図７および図８に示すように、筒状部３１の内周面と導光板２３の貫通孔２５の内周面とに亘って設けられた微細な凹凸であり、第１実施形態と同様、発光素子２２の光が導光板２３で導かれて貫通孔２５の内周面に到達した際に、その到達した光を貫通孔２５内に漏らさずに導光板２３内および筒状部３１の壁部内に向けて拡散するように構成されている。
【００５５】
この場合にも、光拡散層３２は、図７および図８に示すように、導光板２３の貫通孔２５の内周面と筒状部３１の内周面とにおける発光素子２２側に位置する予め定められた領域に設けられている。すなわち、この光拡散層３２は、第１実施形態と同様、発光素子２２と貫通孔２５の中心とを結ぶ直線に対し、貫通孔２５の中心で直交する直線を境にして、発光素子２２側に位置する貫通孔２５の内周面と筒状部３１の内周面とにおけるほぼ半分の領域に設けられている。
【００５６】
これにより、光拡散層３２は、図６および図７に示すように、導光板２３で導かれて貫通孔２５の内周面に到達した発光素子２２の光を導光板２３内と筒状部３１の壁部内とに向けて拡散することにより、この拡散された光のうち、一部の光を貫通孔２５における発光素子２２と反対側に回り込ませ、残りの光を筒状部３１の外周面および上端面から放射させるように構成されている。
【００５７】
次に、このような腕時計の照明装置３０の作用について説明する。
この照明装置３０は、発光素子２２が発光すると、第１実施形態と同様、その発光した光が導光板２３の側面から導光板２３内に採り込まれる。この採り込まれた光は、導光板２３内をその面方向に沿って導かれながら、導光板２３の上面から上方に放射されると共に、筒状部３１の外周部および上端部からも放射される。
【００５８】
このときには、第１実施形態と同様、導光板２３の下面に設けられたドットパターン（図示せず）によって発光素子２２の光が導光板２３の面方向に沿ってほぼ均一な光量になるように効率良く導かれる。このため、導光板２３で導かれた光は、導光板２３の上面からほぼ均一な輝度で放射される。これにより、液晶表示パネル１４の下面全体がほぼ均一な照度で明るく照明される。
【００５９】
そして、この導光板２３で面方向に導かれて貫通孔２５の内周面に到達した光は、貫通孔２５の内周面と筒状部３１の内周面とに設けられた光拡散層３２によって、貫通孔２５内および筒状部３１内にほとんど漏れることがなく、拡散される。すなわち、光拡散層３２は、発光素子２２の光が導光板２３で導かれて貫通孔２５の内周面に到達した際に、その光を貫通孔２５内に漏らすことなく、導光板２３内および筒状部３１の壁部内に向けて拡散する。
【００６０】
この拡散された光のうち、その一部の光は、貫通孔２５における発光素子２２と反対側に回り込み、貫通孔２５を境にして発光素子２２と反対側に位置する導光板２３に導かれる。このため、発光素子２２の光が導光板２３で導かれて貫通孔２５の内周面に到達しても、貫通孔２５内に漏れることがなく、発光素子２２の光が導光板２３のほぼ全域に導かれて、液晶表示パネル１４の下面のほぼ全域に効率良く照射される。
【００６１】
また、光拡散層３２で拡散された光のうち、残りの光は、筒状部３１の壁部内に導かれ、この筒状部３１の外周面から液晶表示パネル１４の貫通孔２０内に放射されると共に、筒状部３１の上端面から文字板１１の貫通孔１１ａに向けて放射され、この貫通孔１１ａに放射された光が指針１７の下面に照射される。これにより、文字板１１の貫通孔１１ａ、およびこれに対応する指針１７の下面が照明される。
【００６２】
次に、このような照明装置３０を備えた腕時計の作用について説明する。
この腕時計は、通常、時計ムーブメント１６によって指針軸１８が駆動されて導光板２３の筒状部３１内で回転し、指針１７が文字板１１の上方で運針されることにより、現在時刻が指示される。また、このときには、液晶表示パネル１４の一対の透明基板１４ａ、１４ｂの各対向面に設けられた一対の透明な電極（図示せず）に選択的に電圧が印加されることにより、現在時刻などの情報が電気光学的に表示される。
【００６３】
また、この状態で、照明装置３０の発光素子２２を発光させると、第１実施形態と同様、液晶表示パネル１４および指針１７が照明される。このときには、発光素子２２で発光した光が、導光板２３内に採り込まれて面方向にほぼ均一な光量になるように導かれながら、導光板２３の上面からほぼ均一な輝度で放射されると共に、導光板２３に設けられた貫通孔２５の周縁部に形成された筒状部３１の外周面および上端面からも放射される。
【００６４】
このため、導光板２３の上面から放射された光によって液晶表示パネル１４の下面側が照明されると共に、筒状部３１の外周面から放射された光によって液晶表示パネル１４の貫通孔２０内が照明され、これにより液晶表示パネル１４に表示された現在時刻などの情報が暗い所でも鮮明に見える。
【００６５】
また、このときには、導光板２３の上面から放射されて液晶表示パネル１４の下面に照射された光は、第１実施形態と同様、液晶表示パネル１４および透明な文字板１１を透過して、その上方に放射される。また、筒状部３１の外周面および上端面から放射された光は、液晶表示パネル１４の貫通孔２０および文字板１１の貫通孔１１ａを通してその上方に放射される。これら文字板１１の上方に放射された光によって、指針１７および文字板１１が照明されるので、暗い所でも指針１７によって指示された現在時刻を知ることができる。
【００６６】
このように、この腕時計の照明装置３０によれば、第１実施形態と同様の作用効果があるほか、導光板２３の貫通孔２５の周縁部に、その上面側に向けて突出する筒状部３１が、貫通孔２５と同一軸上で設けられていることにより、この筒状部３１内に指針軸１８を回転可能な状態で挿入させることができると共に、この筒状部３１を液晶表示パネル１４の貫通孔２０内に挿入させることができる。
【００６７】
これにより、指針軸１８が液晶表示パネル１４の貫通孔２０に接触するのを防ぐことができるので、衝撃などによって指針軸１８が液晶表示パネル１４の貫通孔２０を傷付けたり、破損したりしないようにすることができ、これにより指針軸１８を円滑に回転させることができると共に、液晶表示パネル１４の貫通孔２０を良好に保護することができる。
【００６８】
この場合、筒状部３１の内周面と導光板２３の貫通孔２５の内周面とに光拡散層３２が設けられていることにより、発光素子２２の光を導光板２３で導いて導光板２３の上面から放射させる際に、第１実施形態と同様、導光板２３で導かれて貫通孔２５に到達した光を光拡散層３２によって拡散することができる。
【００６９】
このため、導光板２３の貫通孔２５に到達した光を、貫通孔２５内にほとんど漏らさず、発光素子２２に対する貫通孔２５の反対側に位置する導光板２３内に導くことができるほか、筒状部３１の壁部内にも導くことができ、この導かれた光を光拡散層３２によって筒状部３１内に漏らすことなく、筒状部３１の外周面および上端面から放射させることができる。これにより、導光板２３の上面から放射された光、および筒状部３１から放出された光によって、液晶表示パネル１４、文字板１１、および指針１７を良好に照明することができる。
【００７０】
なお、上述した第１、第２の各実施形態では、導光板２３の貫通孔２５の内周面と筒状部３１の内周面とに設けられた光拡散層２６、３２がマット加工による微細な凹凸で形成されている場合について述べたが、これに限らず、光拡散層は、光を拡散する拡散シートであっても良い。この場合には、導光板２３の貫通孔２５内周面と筒状部３１の内周面とに拡散シートを貼り付ければ良い。
【００７１】
また、上述した第１、第２の各実施形態では、発光素子２２を導光板２３の一側部に１つ配置した場合について述べたが、これに限らず、例えば複数の発光素子２２を導光板２３の側部の複数個所に配置した構成であっても良い。
【００７２】
また、上述した第１、第２の各実施形態では、光拡散層２６、３２が導光板２３の貫通孔２５内周面と筒状部３１の内周面とにおける発光素子２２側に位置するほぼ半分の領域に設けた場合について述べた、これに限らず、導光板２３の貫通孔２５内周面と筒状部３１の内周面とにおける全周面に設けた構成であっても良い。
【００７３】
さらに、上述した第１、第２の各実施形態では、腕時計に適用した場合について述べたが、必ずしも腕時計である必要はなく、例えばトラベルウオッチ、懐中時計、目覚まし時計、置き時計、掛け時計などの各種の時計に適用することができる。また、必ずしも時計に限らず、自動車、飛行機、船舶などに用いられる指針を有するメータなどの計測装置にも適用することができる。
【００７４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７５】
（付記）
請求項１に記載の発明は、発光素子と、指針を運針させるための指針軸が挿入される貫通孔が設けられ、前記発光素子の光を内部に採り込んで面方向に導きながら前記指針側の一面から放射する導光板と、前記導光板の前記貫通孔の内周面に設けられ、前記導光板で導かれて前記貫通孔に到達した光を拡散する光拡散部と、を備えていることを特徴とする照明装置である。
【００７６】
請求項２に記載の発明は、請求項１に記載の照明装置において、前記光拡散部は、前記導光板の前記貫通孔の内周面における前記発光素子側に位置する予め定められた領域に設けられていることを特徴とする照明装置である。
【００７７】
請求項３に記載の発明は、請求項１または請求項２に記載の照明装置において、前記導光板の前記貫通孔の周縁部には、前記光が放射される一面から突出する筒状部が、前記貫通孔と同一軸上に設けられていることを特徴とする照明装置である。
【００７８】
請求項４に記載の発明は、請求項３に記載の照明装置において、前記光拡散部は、前記導光板の前記貫通孔の内周面と前記筒状部の内周面とに設けられていることを特徴とする照明装置である。
【００７９】
請求項５に記載の発明は、請求項１〜請求項４のいずれかに記載されている照明装置と、当該照明装置の前記導光板における前記光が放射される一面側に配置された表示パネルと、前記導光板の前記貫通孔内に前記指針軸が挿入され、当該指針軸に取り付けられた前記指針を前記表示パネルの上方で運針させる時計ムーブメントと、を備えていることを特徴とする時計である。
【符号の説明】
【００８０】
１  腕時計ケース
７  時計モジュール
１０  回路基板
１１  文字板
１４  液晶表示パネル
１５、３０  照明装置
１６  時計ムーブメント
１７  指針
１８  指針軸
２０、２５、２７  貫通孔
２１ａ〜２１ｃ  表示領域
２２  発光素子
２３  導光板
２４  反射板
２６、３２  光拡散層
３１  筒状部
【図１】
0006425011.tif 000002
【図２】
0006425011.tif 000003
【図３】
0006425011.tif 000004
【図４】
0006425011.tif 000005
【図５】
0006425011.tif 000006
【図６】
0006425011.tif 000007
【図７】
0006425011.tif 000008
【図８】
0006425011.tif 000009